(57)【特許請求の範囲】
【請求項１】
無線端末であって、
プロセッサを備え、
前記プロセッサは、
上りリンクグラントを基地局から受け取る前に、トランスポートブロックサイズの最低保証値を示すＴＢＳ情報を前記基地局から受け取り、
前記上りリンクグラントを受け取る前に、ＲＬＣレイヤにおいて、前記ＴＢＳ情報に基づいて、前記最低保証値以下のサイズを有するデータユニットを生成し、前記生成されたデータユニットをＭＡＣレイヤへ送り、
所定のトランスポートブロックサイズを示す前記上りリンクグラントを前記基地局から受け取り、
前記ＭＡＣレイヤにおいて、前記所定のトランスポートブロックサイズに応じて前記データユニットを処理することにより、トランスポートブロックを生成し、
前記生成されたトランスポートブロックをＰＨＹレイヤを経由して前記基地局へ送信するよう構成され、
前記所定のトランスポートブロックサイズは、前記最低保証値以上の値である無線端末。
【請求項２】
前記プロセッサは、前記ＲＬＣレイヤにおいて、前記ＴＢＳ情報に基づいて、前記上りリンクグラントを受け取る前に、ＰＤＣＰレイヤにおいて処理されたＰＤＣＰデータユニットを結合又は分割することにより、前記データユニットを生成するよう構成される請求項１に記載の無線端末。
【請求項３】
前記プロセッサは、前記所定のトランスポートブロックサイズが前記最低保証値の整数倍である場合、前記最低保証値の整数倍のリソース量を示すリソース割り当てを含む前記上りリンクグラントを前記基地局から受け取るよう構成される請求項１に記載の無線端末。
【請求項４】
前記ＴＢＳ情報は、論理チャネル識別子毎に決定される請求項１に記載の無線端末。
【請求項５】
前記ＴＢＳ情報は、トラフィックの種別毎に決定される請求項１に記載の無線端末。
【請求項６】
前記ＴＢＳ情報は、ＱｏＳ（Ｑｕａｌｉｔｙ  ｏｆ  Ｓｅｒｖｉｃｅ）毎に決定される請求項１に記載の無線端末。
【請求項７】
前記プロセッサは、
前記基地局から所定情報と関連付けられた複数のＴＢＳ情報を受け取り、
前記複数のＴＢＳ情報のうち、前記所定のトランスポートブロックサイズ以下の最低保証値を有するＴＢＳ情報を選択し、かつ、
前記ＭＡＣレイヤにおいて、前記選択されたＴＢＳ情報に関連付けられた前記所定情報に基づいて、前記優先的に処理すべきデータユニットを選択するよう構成され、
前記所定情報は、論理チャネル識別子、トラフィックの種別、及び、ＱｏＳ（Ｑｕａｌｉｔｙ  ｏｆ  Ｓｅｒｖｉｃｅ）の少なくともいずれかである請求項１に記載の無線端末。
【請求項８】
前記上りリンクグラントは、優先的に処理すべきデータユニットを指定する指定情報を含み、
前記指定情報は、論理チャネル識別子、トラフィックの種別、及びＱｏＳ（Ｑｕａｌｉｔｙ  ｏｆ  Ｓｅｒｖｉｃｅ）の少なくともいずれかである請求項１に記載の無線端末。
【請求項９】
前記プロセッサは、
ＰＤＣＰレイヤの代わりに、前記ＭＡＣレイヤにおいて、下りリンクのデータユニットに対して、ハードウェア処理であるデサイファリングを実行し、かつ、
前記ＰＤＣＰレイヤにおいて、上りリンクのデータユニットに対して、前記ハードウェア処理であるサイファリングを実行するよう構成される請求項１に記載の無線端末。
【請求項１０】
無線端末と通信するよう構成された基地局であって、
プロセッサを備え、
前記プロセッサは、
トランスポートブロックサイズの最低保証値を示すＴＢＳ情報を前記無線端末へ送信し、かつ
所定のトランスポートブロックサイズを示す上りリンクグラントを送信するよう構成され、
前記ＴＢＳ情報は、前記無線端末のＲＬＣレイヤにおいて、前記最低保証値以下のサイズを有するデータユニットを生成するために使用されており、
前記所定のトランスポートブロックサイズは、前記最低保証値以上の値である基地局。
【請求項１１】
前記プロセッサは、前記所定のトランスポートブロックサイズが前記最低保証値の整数倍である場合、前記最低保証値の整数倍のリソース量を示すリソース割り当てを含む前記上りリンクグラントを前記無線端末へ送信するよう構成される請求項１０に記載の基地局。
【請求項１２】
前記プロセッサは、論理チャネル識別子毎に前記ＴＢＳ情報を決定するよう構成される請求項１０に記載の基地局。
【請求項１３】
前記プロセッサは、トラフィックの種別毎に前記ＴＢＳ情報を決定するよう構成される請求項１０に記載の基地局。
【請求項１４】
前記プロセッサは、ＱｏＳ（Ｑｕａｌｉｔｙ  ｏｆ  Ｓｅｒｖｉｃｅ）毎に前記ＴＢＳ情報を決定するよう構成される請求項１０に記載の基地局。
【請求項１５】
前記プロセッサは、所定情報と関連付けられた複数のＴＢＳ情報を前記無線端末へ送信するよう構成され、
前記所定情報は、論理チャネル識別子、トラフィックの種別、及び、ＱｏＳ（Ｑｕａｌｉｔｙ  ｏｆ  Ｓｅｒｖｉｃｅ）の少なくともいずれかである請求項１０に記載の基地局。
【請求項１６】
前記上りリンクグラントは、優先的に送信すべきデータユニットを指定する指定情報を含み、
前記指定情報は、論理チャネル識別子、トラフィックの種別、及びＱｏＳ（Ｑｕａｌｉｔｙ  ｏｆ  Ｓｅｒｖｉｃｅ）の少なくともいずれかである請求項１０に記載の基地局。
【発明の詳細な説明】
【技術分野】
【０００１】
本開示は、無線端末及び基地局に関する。
【背景技術】
【０００２】
ＬＴＥ（Ｌｏｎｇ  Ｔｅｒｍ  Ｅｖｏｌｕｔｉｏｎ）におけるユーザプレーンの無線プロトコル構造では、ＰＨＹ（Ｐｈｙｓｉｃａｌ）レイヤ、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤのそれぞれが、規定された機能を実行する。
【先行技術文献】
【非特許文献】
【０００３】
【非特許文献１】３ＧＰＰ技術仕様書「ＴＳ３６．３００  Ｖ１３．５．０」  ２０１６年９月２９日
【発明の概要】
【０００４】
一の実施形態に係る無線端末は、プロセッサを備える。前記プロセッサは、上りリンクグラントを基地局から受け取る前に、ＲＬＣレイヤからＭＡＣレイヤへデータユニットを送り、所定のトランスポートブロックサイズを決定するための前記上りリンクグラントを前記基地局から受け取り、前記ＭＡＣレイヤにおいて、前記所定のトランスポートブロックサイズに応じて前記データユニットを結合又は分割することにより、トランスポートブロックを生成し、前記生成されたトランスポートブロックをＰＨＹレイヤを経由して前記基地局へ送信し、かつ、前記プロセッサは、トランスポートブロックサイズの最低保証値を示すＴＢＳ情報を前記基地局から受け取るよう構成される。前記所定のトランスポートブロックサイズは、前記最低保証値以上の値である。
【０００５】
一の実施形態に係る基地局は、無線端末と通信するよう構成された基地局である。前記基地局は、プロセッサを備える。前記プロセッサは、トランスポートブロックサイズの最低保証値を示すＴＢＳ情報を前記無線端末へ送信し、かつ所定のトランスポートブロックサイズを決定するための上りリンクグラントを送信するよう構成される。前記所定のトランスポートブロックサイズは、前記最低保証値以上の値である。
【図面の簡単な説明】
【０００６】
【図１】図１は、移動通信システムの構成を示す図である。
【図２】図２は、無線インターフェイスのプロトコルスタック図である。
【図３】図３は、ＵＥ１００のブロック図である。
【図４】図４は、ＢＳ２００のブロック図である。
【図５】図５は、動作例１を説明するためのシーケンス図である。
【図６】図６は、動作例１を説明するための図である。
【図７】図７は、動作例２を説明するためのフローチャートである。
【図８】図８は、動作例３を説明するためシーケンス図である。
【図９】図９は、動作例４を説明するための図である。
【図１０】図１０は、動作例５を説明するための図である。
【発明を実施するための形態】
【０００７】
［実施形態の概要］
一の実施形態に係る無線端末は、プロセッサを備える。前記プロセッサは、上りリンクグラントを基地局から受け取る前に、ＲＬＣレイヤからＭＡＣレイヤへデータユニットを送り、所定のトランスポートブロックサイズを決定するための前記上りリンクグラントを前記基地局から受け取り、前記ＭＡＣレイヤにおいて、前記所定のトランスポートブロックサイズに応じて前記データユニットを結合又は分割することにより、トランスポートブロックを生成し、前記生成されたトランスポートブロックをＰＨＹレイヤを経由して前記基地局へ送信し、かつ、前記プロセッサは、トランスポートブロックサイズの最低保証値を示すＴＢＳ情報を前記基地局から受け取るよう構成される。前記所定のトランスポートブロックサイズは、前記最低保証値以上の値である。
【０００８】
前記プロセッサは、前記ＴＢＳ情報に基づいて、前記上りリンクグラントを受け取る前に、前記データユニットを結合又は分割するよう構成されてもよい。
【０００９】
前記プロセッサは、前記最低保証値の整数倍のリソース量を示すリソース割り当てを前記基地局から受け取るよう構成されてもよい。
【００１０】
前記ＴＢＳ情報は、論理チャネル識別子毎に決定されてもよい。
【００１１】
前記ＴＢＳ情報は、トラフィックの種別毎に決定されてもよい。
【００１２】
前記ＴＢＳ情報は、ＱｏＳ（Ｑｕａｌｉｔｙ  ｏｆ  Ｓｅｒｖｉｃｅ）毎に決定されてもよい。
【００１３】
前記プロセッサは、前記基地局から複数のＴＢＳ情報を受け取り、前記複数のＴＢＳ情報のうち、前記所定のトランスポートブロックサイズ以下の最低保証値を有するＴＢＳ情報を選択し、かつ、前記選択されたＴＢＳ情報に関連付けられた所定情報に基づいて、前記優先的に処理すべきデータユニットを選択するよう構成されてもよい。前記所定情報は、論理チャネル識別子、トラフィックの種別、及び、ＱｏＳ（Ｑｕａｌｉｔｙ  ｏｆ  Ｓｅｒｖｉｃｅ）の少なくともいずれかであってもよい。
【００１４】
前記上りリンクグラントは、優先的に処理すべきデータユニットを指定する指定情報を含んでもよい。前記指定情報は、論理チャネル識別子、トラフィックの種別、及びＱｏＳ（Ｑｕａｌｉｔｙ  ｏｆ  Ｓｅｒｖｉｃｅ）の少なくともいずれかであってもよい。
【００１５】
前記プロセッサは、ＰＤＣＰレイヤの代わりに、前記ＭＡＣレイヤにおいて、下りリンクのデータユニットに対して、ハードウェア処理であるデサイファリングを実行し、かつ、前記ＰＤＣＰレイヤにおいて、上りリンクのデータユニットに対して、前記ハードウェア処理であるサイファリングを実行するよう構成されてもよい。
【００１６】
一の実施形態に係る基地局は、無線端末と通信するよう構成された基地局である。前記基地局は、プロセッサを備える。前記プロセッサは、トランスポートブロックサイズの最低保証値を示すＴＢＳ情報を前記無線端末へ送信し、かつ所定のトランスポートブロックサイズを決定するための上りリンクグラントを送信するよう構成される。前記所定のトランスポートブロックサイズは、前記最低保証値以上の値である。
【００１７】
前記プロセッサは、前記最低保証値の整数倍のリソース量を示すリソース割り当てを前記無線端末へ送信するよう構成されてもよい。
【００１８】
前記プロセッサは、論理チャネル識別子毎に前記ＴＢＳ情報を決定するよう構成されてもよい。
【００１９】
前記プロセッサは、トラフィックの種別毎に前記ＴＢＳ情報を決定するよう構成されてもよい。
【００２０】
前記プロセッサは、ＱｏＳ（Ｑｕａｌｉｔｙ  ｏｆ  Ｓｅｒｖｉｃｅ）毎に前記ＴＢＳ情報を決定するよう構成されてもよい。
【００２１】
前記プロセッサは、複数のＴＢＳ情報を前記無線端末へ送信するよう構成されてもよい。前記複数のＴＢＳ情報のそれぞれは、所定情報に関連付けられてもよい。
【００２２】
前記所定情報は、論理チャネル識別子、トラフィックの種別、及び、ＱｏＳ（Ｑｕａｌｉｔｙ  ｏｆ  Ｓｅｒｖｉｃｅ）の少なくともいずれかであってもよい。
【００２３】
前記上りリンクグラントは、優先的に送信すべきデータユニットを指定する指定情報を含んでもよい。前記指定情報は、論理チャネル識別子、トラフィックの種別、及びＱｏＳ（Ｑｕａｌｉｔｙ  ｏｆ  Ｓｅｒｖｉｃｅ）の少なくともいずれかであってもよい。
【００２４】
［実施形態］
（移動通信システム）
移動通信システムについて説明する。図１は、移動通信システムの構成を示す図である。移動通信システムの一例として、ＬＴＥシステムを例に挙げて説明する。
【００２５】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２６】
ＵＥ１００は、通信装置（無線端末）に相当する。ＵＥ１００は、移動型の通信装置である。ＵＥ１００は、セル（後述するＢＳ２００）と無線通信を行う。ＵＥ１００の構成は後述する。
【００２７】
Ｅ−ＵＴＲＡＮ１０は、無線アクセスネットワークに相当する。Ｅ−ＵＴＲＡＮ１０は、ＢＳ（ＢＡＳＥ  ＳＴＡＴＩＯＮ）２００を含む。ｅＮＢ２００は、基地局に相当する。ＢＳ２００は、例えば、ｅＮＢ２００（ｅｖｏｌｖｅｄ  Ｎｏｄｅ−Ｂ）である。ＢＳ２００は、ＵＥ１００と無線通信を実行可能なノードであってもよい。例えば、ＢＳ２００は、ｇＮＢであってもよい。ＢＳ２００は、Ｘ２インターフェイスを介して相互に接続されてもよい。ＢＳ２００の構成は後述する。
【００２８】
ＢＳ２００は、１又は複数のセルを管理する。ＢＳ２００は、ＢＳ２００が管理するセルとの接続を確立したＵＥ１００との無線通信を行う。ＢＳ２００は、無線リソース管理（ＲＲＭ）機能、ユーザデータ（以下、「データ」と称することがある）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用されてもよい。
【００２９】
ＥＰＣ２０は、コアネットワークに相当する。ＥＰＣ２０は、Ｅ−ＵＴＲＡＮ１０と共にネットワークを構成してもよい。ＥＰＣ２０は、ＭＭＥ（Ｍｏｂｉｌｉｔｙ  Ｍａｎａｇｅｍｅｎｔ  Ｅｎｔｉｔｙ）３００、及びＳＧＷ（Ｓｅｒｖｉｎｇ  Ｇａｔｅｗａｙ）４００を含む。
【００３０】
ＭＭＥ３００は、例えば、ＵＥ１００に対する各種モビリティ制御を行う。ＳＧＷ４００は、例えば、データの転送制御を行う。ＭＭＥ３００及びＳＧＷ４００は、Ｓ１インターフェイスを介してＢＳ２００と接続される。
【００３１】
図２は、ＬＴＥシステムにおける無線インターフェイスのプロトコルスタック図である。図２に示すように、無線インターフェイスプロトコルは、ＯＳＩ参照モデルの第１層（レイヤ１）乃至第３層（レイヤ３）に区分されている。第１層は、物理（ＰＨＹ）層（物理レイヤ）である。第２層（レイヤ２）は、ＭＡＣ（Ｍｅｄｉｕｍ  Ａｃｃｅｓｓ  Ｃｏｎｔｒｏｌ）層（ＭＡＣレイヤ）、ＲＬＣ（Ｒａｄｉｏ  Ｌｉｎｋ  Ｃｏｎｔｒｏｌ）層（ＲＬＣレイヤ）、及びＰＤＣＰ（Ｐａｃｋｅｔ  Ｄａｔａ  Ｃｏｎｖｅｒｇｅｎｃｅ  Ｐｒｏｔｏｃｏｌ）層（ＰＲＣＰレイヤ）を含む。第３層（レイヤ３）は、ＲＲＣ（Ｒａｄｉｏ  Ｒｅｓｏｕｒｃｅ  Ｃｏｎｔｒｏｌ）層（ＲＲＣレイヤ）を含む。
【００３２】
物理レイヤは、符号化・復号化、変調・復調、アンテナマッピング・デマッピング、及びリソースマッピング・デマッピングを行う。ＵＥ１００の物理レイヤとＢＳ２００の物理レイヤとの間では、物理チャネルを介してデータ及び制御信号が伝送される。
【００３３】
ＭＡＣレイヤは、データの優先制御、ハイブリッドＡＲＱ（ＨＡＲＱ）による再送処理、及びランダムアクセス手順等を行う。ＵＥ１００のＭＡＣレイヤとＢＳ２００のＭＡＣレイヤとの間では、トランスポートチャネルを介してデータ及び制御信号が伝送される。ＢＳ２００のＭＡＣレイヤは、スケジューラ（ＭＡＣ  スケジューラ）を含む。スケジューラは、上下リンクのトランスポートフォーマット（トランスポートブロックサイズ、変調・符号化方式（ＭＣＳ：Ｍｏｄｕｌａｔｉｏｎ  ａｎｄ  Ｃｏｄｉｎｇ  Ｓｃｈｅｍｅ））及びＵＥ１００への割当リソースブロックを決定する。
【００３４】
ＲＬＣレイヤは、ＭＡＣレイヤ及び物理レイヤの機能を利用してデータを受信側のＲＬＣレイヤに伝送する。ＵＥ１００のＲＬＣレイヤとＢＳ２００のＲＬＣレイヤとの間では、論理チャネルを介してデータ及び制御信号が伝送される。
【００３５】
ＰＤＣＰレイヤは、ヘッダ圧縮・伸張、及び暗号化（サイファリング）・復号化（デサイファリング）を行う。
【００３６】
ＲＲＣレイヤは、制御信号を取り扱う制御プレーンでのみ定義される。ＵＥ１００のＲＲＣレイヤとＢＳ２００のＲＲＣレイヤとの間では、各種設定のためのメッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとＢＳ２００のＲＲＣとの間にＲＲＣ接続がある場合、ＵＥ１００は、ＲＲＣコネクティッド状態である。ＵＥ１００のＲＲＣとＢＳ２００のＲＲＣとの間にＲＲＣ接続がない場合、ＵＥ１００は、ＲＲＣアイドル状態である。
【００３７】
ＲＲＣレイヤの上位に位置するＮＡＳ（Ｎｏｎ−Ａｃｃｅｓｓ  Ｓｔｒａｔｕｍ）レイヤは、例えば、セッション管理及びモビリティ管理を行う。
【００３８】
（無線端末）
実施形態に係るＵＥ１００（無線端末）について説明する。図３は、ＵＥ１００のブロック図である。図３に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００３９】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００４０】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１３０は、無線信号をアンテナから送信する。
【００４１】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号化を行う。ＣＰＵは、メモリに記憶されるプログラムを実行することにより、各種の処理を行う。プロセッサは、音声・映像信号の符号化・復号化を行うコーデックを含んでもよい。プロセッサは、後述する各種の処理及び上述した各種の通信プロトコルを実行する。
【００４２】
ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機を備えていてもよい。ＧＮＳＳ受信機は、ＵＥ１００の地理的な位置を示す位置情報を得るために、ＧＮＳＳ信号を受信できる。ＧＮＳＳ受信機は、ＧＮＳＳ信号をコントローラ１３０に出力する。ＵＥ１００は、ＵＥ１００の位置情報を取得するためのＧＰＳ（Ｇｌｏｂａｌ  Ｐｏｓｉｔｉｏｎｉｎｇ  Ｓｙｓｔｅｍ）機能を有していてもよい。
【００４３】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００４４】
（基地局）
実施形態に係るＢＳ２００（基地局）について説明する。図４は、ＢＳ２００のブロック図である。図４に示すように、ＢＳ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００４５】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００４６】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００４７】
コントローラ２３０は、ＢＳ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号化等を行う。ＣＰＵは、メモリに記憶されるプログラムを実行することにより各種の処理を行う。プロセッサは、後述する各種の処理及び上述した各種の通信プロトコルを実行する。
【００４８】
ネットワークインターフェイス２４０は、Ｘ２インターフェイスを介して隣接ＢＳ２００と接続される。ネットワークインターフェイス２４０は、Ｓ１インターフェイスを介してＭＭＥ３００及びＳＧＷ４００と接続される。ネットワークインターフェイス２４０は、例えば、Ｘ２インターフェイス上で行う通信及びＳ１インターフェイス上で行う通信に使用される。
【００４９】
本明細書では、ＢＳ２００が備えるトランスミッタ２１０、レシーバ２２０、コントローラ２３０、及びネットワークインターフェイス２４０の少なくともいずれかが実行する処理を、便宜上、ＢＳ２００が実行する処理（動作）として説明する。
【００５０】
（実施形態に係る動作）
実施形態に係る動作について、動作例１−５を例に挙げて説明する。
【００５１】
（Ａ）動作例１
動作例１について、図５及び図６を用いて説明する。図５は、動作例１を説明するためのシーケンス図である。図６は、動作例１を説明するための図である。
【００５２】
図５に示すように、ステップＳ１１０において、ＢＳ２００は、ＴＢＳ情報（ＴＢＳ  Ｉｎｆｏ．）をＵＥ１００へ送信する。
【００５３】
ＴＢＳ情報は、トランスポートブロックサイズ（ＴＢＳ）の最低保証値を示す。動作例１では、ＢＳ２００は、ＵＥ１００に対して、上りリンクグラント（ＵＬグラント）により最低保証値以上のＴＢＳを通知する。ＴＢＳ情報は、最低保証値のインデックスであってもよい。
【００５４】
ＢＳ２００は、ＴＢＳ情報を個別シグナリング（例えば、ＲＲＣ再設定メッセージ、ＤＣＩ（Ｄｏｗｎｌｉｎｋ  Ｃｏｎｔｒｏｌ  Ｉｎｆｏｒｍａｔｉｏｎ）など）により、ＵＥ１００へ送信してもよい。ＢＳ２００は、ＴＢＳ情報をブロードキャストシグナリング（例えば、ＳＩＢ（Ｓｙｓｔｅｍ  Ｉｎｆｏｒｍａｔｉｏｎ  Ｂｌｏｃｋ））／グループキャストシグナリングにより、ＵＥ１００へ送信してもよい。
【００５５】
ステップＳ１２０において、ＵＥ１００は、オフライン処理を実行する。オフライン処理は、ＵＬグラントをＢＳ２００から受け取る前に予め実行される処理である。オフライン処理は、ＵＬグラントをＢＳ２００から受け取る前に終了する。
【００５６】
図６に示すように、既存技術では、オフライン処理として、ＰＤＣＰレイヤにおいて、ＲｏＨＣ（Ｒｏｂｕｓｔ  Ｈｅａｄｅｒ  Ｃｏｍｐｒｅｓｓｉｏｎ）処理、Ｉｎｔｅｇｒｉｔｙ  Ｐｒｏｔｅｃｔｉｏｎ処理及びＣｉｐｈｅｒｉｎｇ（サイファリング）処理が実行される。ＰＤＣＰレイヤにおいて処理されたデータユニット（ＰＤＣＰ  ＰＤＵ（Ｐｒｏｔｏｃｏｌ  Ｄａｔａ  Ｕｎｉｔ））は、ＲＬＣレイヤへ送られる。ＲＬＣレイヤにおいて、ＵＥ１００がＵＬグラントを受け取るまで、データユニットの処理を中断する。
【００５７】
一方、本動作例では、オフライン処理として、既存技術と同様の動作が実行される。さらに、オフライン処理として、ＲＬＣレイヤにおいて、データユニット（ＰＤＣＰ  ＰＤＵ／ＲＬＣ  ＳＤＵ（Ｓｅｒｖｉｃｅ  Ｄａｔａ  Ｕｎｉｔ））の分割（Ｓｅｇｍｅｎｔａｔｉｏｎ）が実行される。
【００５８】
ＲＬＣレイヤでは、ＵＬグラントをＢＳ２００から受け取る前に、ＴＢＳ情報に基づいて、データユニットの分割及び／又は結合（Ｃｏｎｃａｔｅｎａｔｉｏｎ）が実行されてもよい。データユニットは、最低保証値を超えないサイズに、分割されてもよい。データユニットは、最低保証値と同じサイズ又は最低保証値よりも大きいサイズに分割されてもよい。
【００５９】
オフライン処理として、ＵＬグラントをＢＳ２００から受け取る前に、ＲＬＣレイヤからＭＡＣレイヤへ、ＲＬＣレイヤで処理されたデータユニット（ＲＬＣ  ＰＤＵ／ＭＡＣ  ＳＤＵ）が送られる。
【００６０】
オフライン処理として、ＭＡＣレイヤでは、ＵＬグラントをＢＳ２００から受け取る前に、データユニット（ＭＡＣ  ＳＤＵ）毎のＭＡＣヘッダ（ＭＡＣサブヘッダ）を生成してもよい。
【００６１】
図５に戻る。ステップＳ１３０において、ＢＳ２００は、ＵＬグラントをＵＥ１００へ送信する。ＵＬグラントは、ＵＥ１００が所定のＴＢＳを決定するために用いられる。
【００６２】
ＵＬグラントは、所定のＴＢＳを示す情報（例えば、ＴＢＳインデックス）が含まれていてもよい。所定のＴＢＳは、最低保証値以上の値である。
【００６３】
ＵＬグラントは、送信用のリソース割り当て（Ｒｅｓｏｕｒｃｅｓ）を含んでいてもよい。ＢＳ２００は、最低保証値の整数倍のリソース量の無線リソースをＵＥ１００へ割り当ててもよい。ＢＳ２００は、最低保証値の整数倍のリソース量を示すリソース割り当てをＵＥ１００へ送信してもよい。
【００６４】
ＵＥ１００は、ＵＬグラントの受信に応じて、ステップＳ１４０の処理を開始する。
【００６５】
ステップＳ１４０において、ＵＥ１００は、オンライン処理を開始する。オンライン処理は、ＵＬグラントを受け取ったことに応じて開始する処理である。
【００６６】
図６に示すように、既存技術では、オンライン処理として、ＰＨＹレイヤは、ＵＬグラントをＭＡＣレイヤへ送る。ＭＡＣレイヤは、パケットサイズ（例えば、所定のＴＢＳ）をＲＬＣレイヤへ送る。ＲＬＣレイヤでは、パケットサイズに応じて、データユニット（ＰＤＣＰ  ＰＤＵ／ＲＬＣ  ＳＤＵ（Ｓｅｒｖｉｃｅ  Ｄａｔａ  Ｕｎｉｔ））の分割及び／又は結合が実行される。ＲＬＣレイヤからＭＡＣレイヤへ処理されたデータユニット（ＲＬＣ  ＰＤＵ／ＭＡＣ  ＳＤＵ）が送られる。
【００６７】
ＭＡＣレイヤにおいて、データユニットは、ＬＣＰ（Ｌｏｇｉｃａｌ  Ｃｈａｎｎｅｌ  Ｐｒｉｏｒｉｔｉｚａｔｉｏｎ）処理、ＭＡＣヘッダ生成処理、データユニット（ＭＡＣ  ＳＤＵ）結合処理、及びＭＡＣ  ＣＥ（Ｃｏｎｔｒｏｌ  Ｅｌｅｍｅｎｔ）付与処理が実行される。これにより、トランスポートブロック（ＭＡＣ  ＰＤＵ）が生成される。ＭＡＣレイヤからＰＨＹレイヤへトランスポートブロックが送られる。
【００６８】
一方、本動作例では、オフライン処理として、ＬＣＰ処理、ＭＡＣヘッダ生成処理、データユニット（ＭＡＣ  ＳＤＵ）結合処理、及びＭＡＣ  ＣＥ付与処理を実行する。
【００６９】
ＭＡＣレイヤは、必要に応じて、データユニットの分割を実行してもよい。ＭＡＣレイヤは、生成されるトランスポートブロックが所定のＴＢＳを超えないように、データユニットを分割してもよい。
【００７０】
ＭＡＣレイヤは、必要に応じて、データユニットの結合（Ｃｏｎｃａｔｅｎａｔｉｏｎ）を実行してもよい。この結合処理は、既存のＭＡＣレイヤで実行されるトランスポートブロックを生成するための結合ではなく、ＲＬＣレイヤにおいて行われる結合処理と同様の結合である。この結合処理で結合された１つのデータユニット（ＲＬＣ  ＰＤＵ／ＭＡＣ  ＳＤＵ）は、１つのＭＡＣサブヘッダが生成される。一方、既存のＭＡＣレイヤでの結合処理は、結合したデータユニット（ＲＬＣ  ＰＤＵ／ＭＡＣ  ＳＤＵ）の数のＭＡＣサブヘッダが生成される。
【００７１】
ＭＡＣレイヤでは、必要に応じて、データユニット（ＭＡＣ  ＳＤＵ）毎のＭＡＣヘッダ（ＭＡＣサブヘッダ）が生成されてもよい。例えば、データユニットの分割／結合によりデータユニットの数の変更に応じて、ＭＡＣヘッダ（ＭＡＣサブヘッダ）が生成されてもよい。
【００７２】
ＭＡＣレイヤにおいて、ＵＬグラントの受信前に、ＴＢＳ情報に基づいて、データユニットの結合及び／又は分割が実行されてもよい。
【００７３】
所定のＴＢＳは、最低保証値以上であるため、ＲＬＣレイヤにおいて、データユニットが最低保証値未満のサイズに分割されていた場合には、ＭＡＣレイヤにおいて、データユニットの分割処理を省略することができる。
【００７４】
ＲＬＣレイヤにおいて、データユニットが最低保証値以上のサイズに分割されていた場合には、結合すべきデータユニットの数が少ない。後述するように、ＭＡＣレイヤにおいて、個々のデータユニットに対してサイファリング（Ｃｉｐｈｅｒｉｎｇ）を実行する場合、処理量の増加を低減できる。その結果、オーバヘッドの増加を抑制できる。
【００７５】
ＭＡＣレイヤでは、所定のＴＢＳに合わせるために、必要に応じて、データユニットにパディングを付加することにより、トランスポートブロックを生成してもよい。
【００７６】
ＭＡＣレイヤにおいて、上記各処理を実行することにより、所定のＴＢＳを超えないサイズを有するトランスポートブロックが生成される。ＭＡＣレイヤからＰＨＹレイヤへ生成されたトランスポートブロックが送られる。
【００７７】
図５に戻る。ステップＳ１５０において、ＵＥ１００は、データ（トランスポートブロック）をＢＳ２００へ送信する。
【００７８】
具体的には、ＰＨＹレイヤにおいてトランスポートブロックを符号化する。ＵＥ１００は、符号化されたトランスポートブロックをＢＳ２００へ送信する。これにより、生成されたトランスポートブロックがＰＨＹレイヤを経由してＢＳ２００へ送信される。
【００７９】
ＵＥ１００は、ＵＬグラントにより割り当てられた無線リソース（リソース割り当て）を用いて、データをＢＳ２００へ送信する。所定のＴＢＳが最低保証値の整数倍である場合、ｅＮＢ２００が、最低保証値の整数倍のリソース量の無線リソースをＵＥ１００へ割り当てることにより、無線リソースを有効に活用することができる。
【００８０】
以上のように、ＵＥ１００でのオフライン処理の対象を増加させることにより、ＵＬグラントを受け取ってからデータをＢＳ２００へ送信するまでの時間を短縮できる。ＵＥ１００は、ＴＢＳ情報に基づいて、データユニットの分割／結合を実行することにより、オンライン処理に必要な時間を短縮したり、ＵＥ１００の処理負荷を低減できる。
【００８１】
（Ｂ）動作例２
動作例２について、図７を用いて説明する。図７は、動作例２を説明するためのフローチャートである。上述で説明した内容と同様の説明は省略する。
【００８２】
図７に示すように、ステップＳ２１０において、ＢＳ２００は、所定の情報毎にＴＢＳ情報（ＴＢＳの最低保証値）を決定する。
【００８３】
ＢＳ２００は、論理チャネル識別子（ＬＣＩＤ）毎にＴＢＳ情報（最低保証値）を決定してもよい。例えば、ＢＳ２００は、ＬＣＩＤ♯１により送信されるトランスポートブロックの最低保証値をｘに決定してもよい。ＢＳ２００は、ＬＣＩＤ♯２により送信されるトランスポートブロックの最低保証値をｙに決定してもよい。
【００８４】
ＢＳ２００は、例えば、トラフィック種別毎にＴＢＳ情報（最低保証値）を決定してもよい。例えば、ＢＳ２００は、トラフィック毎の許容遅延量に応じて、ＴＢＳ情報を決定してもよい。ＢＳ２００は、許容遅延量が所定値以上のトランスポートブロック（トラフィック）の最低保証値をｘに決定してもよい。ＢＳ２００は、許容遅延量が所定値未満のトランスポートブロック（トラフィック）の最低保証値をｙに決定してもよい。例えば、ＢＳ２００は、トラフィック毎の所望ビットレートに応じて、ＴＢＳ情報（最低保証値）を決定してもよい。ＢＳ２００は、所望ビットレートが高いほど、最低保証値を大きくしてもよい。すなわち、ＢＳ２００は、所定値以上の所望ビットレートのトラフィックに対しては、所定値よりも大きい最低保証値を関連付けてもよい。ＢＳ２００は、所望ビットレートが低いほど、最低保証値を小さくしてもよい。すなわち、ＢＳ２００は、所定値未満の所望ビットレートのトラフィックに対しては、所定値よりも小さい最低保証値を関連付けてもよい。これにより、ＵＥ１００は、ＵＬグラントに基づくＴＢＳが小さくても、当該ＴＢＳは最低保証値以上であるため、所望ビットレートを満たしたトラフィックを伝送できる。
【００８５】
ＢＳ２００は、ＱｏＳ（Ｑｕａｌｉｔｙ  ｏｆ  Ｓｅｒｖｉｃｅ）毎にＴＢＳ情報（最低保証値）を決定してもよい。例えば、ＢＳ２００は、ＱｏＳクラス（優先レベル、パケット遅延、パケットロス率）に応じて、ＴＢＳ情報を決定してもよい。ＢＳ２００は、例えば、優先度が高いほど、最低保証値を小さくしてもよい。すなわち、ＢＳ２００は、優先度が高いトラフィックに対して、所定値よりも小さい最低保証値を関連付けてもよい。ＢＳ２００は、優先度が低いほど、最低保証値を大きくしてもよい。すなわち、ＢＳ２００は、優先度が低いトラフィックに対して、所定値以上の最低保証値を関連付けてもよい。これにより、ＵＥ１００は、ＵＬグラントに基づくＴＢＳが小さくても、オンライン処理に基づく分割を行うことなく、優先度が高いトラフィックを送信できる可能性が高くなる。その結果、優先度の高いトラフィックの送信遅延を低減できる。
【００８６】
ＢＳ２００は、所定情報と決定したＴＢＳ情報とを関連付ける。ＢＳ２００は、所定情報とＴＢＳ情報との関連付けを示すＴＢＳリストを生成してもよい。ＢＳ２００は、ＱｏＳ毎にＴＢＳ情報を決定した場合、ＱＣＩ（ＱｏＳ  Ｃｌａｓｓ  Ｉｄｅｎｔｉｆｉｅｒ）とＴＢＳ情報とを関連付けてもよい。
【００８７】
ＢＳ２００は、ＴＢＳ情報を１つの種類の所定情報に関連付けてもよい。ＢＳ２００は、ＴＢＳ情報を複数の種類の所定情報（例えば、ＬＣＩＤ及びＱｏＳ）に関連付けてもよい。
【００８８】
ステップＳ２２０において、ＢＳ２００は、所定情報と関連付けられた複数のＴＢＳ情報（例えば、ＴＢＳリスト）をＵＥ１００へ送信する。ＵＥ１００は、複数のＴＢＳ情報を受け取る。ステップＳ２２０は、ステップＳ１１０に対応する。
【００８９】
ＵＥ１００は、ＴＢＳ情報に関連付けられた所定情報に基づいて、データユニットの処理を実行してもよい。ＵＥ１００は、例えば、所定のＱｏＳに対応するデータユニットを、所定のＱｏＳに対応付けられた最低保証値に基づいて、分割（結合）してもよい（Ｓ１２０参照）。
【００９０】
ステップＳ２３０において、ＵＥ１００は、複数のＴＢＳ情報のうち、所定のＴＢＳ以下の最低保証値を有するＴＢＳ情報を選択する。例えば、ＵＥ１００は、ＵＬグラントにより示される所定のＴＢＳ以下の最低保証値を有するＴＢＳ情報を選択する。
【００９１】
最低保証値が所定のＴＢＳよりも大きい場合、データユニットのサイズが所定のＴＢＳよりも大きい可能性がある。データユニットのサイズが所定のＴＢＳよりも大きい場合には、データユニットを分割しなければならない。ＵＥ１００は、所定のＴＢＳ以下の最低保証値を有するＴＢＳ情報を選択することにより、データユニットの分割を回避することができる。
【００９２】
ステップＳ２４０において、ＵＥ１００は、ＴＢＳリストに基づいて、選択したＴＢＳ情報に関連付けられた所定情報（ＬＣＩＤ／トラフィック種別／ＱｏＳ）に基づいて、優先的に処理すべきデータユニットを選択する。
【００９３】
ＵＥ１００は、選択したＴＢＳ情報にＬＣＩＤが関連付けられている場合には、関連付けられたＬＣＩＤに対応付けられたデータユニットを処理すべきデータユニットとして選択する。ＵＥ１００は、選択したＴＢＳ情報にトラフィック種別が関連付けられている場合には、関連付けられたトラフィック種別に対応付けられたデータユニットを処理すべきデータユニットとして選択する。ＵＥ１００は、選択したＴＢＳ情報にＱｏＳが関連付けられている場合には、関連付けられたＱｏＳに対応付けられたデータユニットを送信すべきデータユニットとして選択する。
【００９４】
ＵＥ１００は、選択したデータユニットを優先的に処理する（Ｓ１４０参照）。ＵＥ１００は、処理されたデータユニットを優先的にＢＳ２００へ送信する。
【００９５】
（Ｃ）動作例３
動作例３について、図８を用いて説明する。図８は、動作例３を説明するためシーケンス図である。上述で説明した内容と同様の説明は省略する。
【００９６】
図８において、ステップＳ３１０及びＳ３２０は、ステップＳ１１０及びＳ１２０に対応する。
【００９７】
ステップＳ３３０において、ＢＳ２００は、ＵＬグラントをＵＥ１００へ送信する。ＵＬグラントは、優先的に処理すべきデータユニットを指定する指定情報（Ｄｅｓｉｇｎａｔｉｏｎ  Ｉｎｆｏ．）を含んでいてもよい。
【００９８】
指定情報は、例えば、ＬＣＩＤ、トラフィック種別、及びＱｏＳ（又はＱＣＩ）の少なくともいずれかである。
【００９９】
ステップＳ３４０において、ＵＥ１００は、指定情報に基づいて、データユニットを処理する。
【０１００】
ＵＥ１００は、指定情報により所定のＬＣＩＤ（例えば、ＬＣＩＤ♯１）が指定された場合、所定のＬＣＩＤに対応付けられたデータユニットを優先的に処理する。
【０１０１】
ＵＥ１００は、指定情報により所定のトラフィックが指定された場合、所定のトラフィックに対応付けられたデータユニットを優先的に処理する。
【０１０２】
ＵＥ１００は、指定情報により所定のＱｏＳが指定された場合、所定のＱｏＳに対応付けられたデータユニットを優先的に処理する。
【０１０３】
ＵＥ１００は、優先的に処理されたデータユニットを優先的に送信することができる。
【０１０４】
ＵＥ１００は、指定情報に基づく優先処理をＬＣＰ処理に基づく優先処理よりも優先してもよい。すなわち、ＵＥ１００は、指定情報に基づくデータユニットの論理チャネルへ優先的に無線リソースを割り当ててもよい。ＵＥ１００は、残りのデータユニットに対して、ＬＣＰ処理に従って、論理チャネルへ無線リソースを割り当ててもよい。これにより、ＵＥ１００は、ＬＣＰ処理に基づく優先度と異なる優先度でデータユニットを処理（送信）を実行できる。その結果、ＢＳ２００（ネットワーク）は、データユニットの優先順位を自由に変更することができる。
【０１０５】
ステップＳ３５０は、ステップＳ１５０に対応する。
【０１０６】
（Ｄ）動作例４
動作例４について図９を用いて説明する。図９は、動作例４を説明するための図である。
【０１０７】
図９（左図）に示すように、ＵＥ１００は、ＢＳ２００から下りリンクパケット（ＤＬパケット）を受信した場合、ＰＨＹレイヤにおいて、ＣＰＵとは異なる処理部により、ＤＬパケットのデコードが実行される。デコードは、ハードウェア処理である。
【０１０８】
ＰＨＹレイヤからＭＡＣレイヤへデコードされたＤＬパケット（データユニット：ＭＡＣ  ＰＤＵ）が送られる。
【０１０９】
ＭＡＣレイヤにおいて、ＰＨＹレイヤからのデータユニット（ＭＡＣ  ＰＤＵ）のデサイファリングが実行される。すなわち、ＭＡＣレイヤにおいて、ＣＰＵとは異なる処理部により、データユニットのデサイファリング（復号化）が実行される。デサイファリングは、ハードウェア処理である。
【０１１０】
ＭＡＣレイヤにおいて、ＰＤＣＰレイヤの代わりに、デサイファリング（復号化）が実行される。ＰＤＣＰレイヤにおけるデサイファリングは、省略される。従って、ＭＡＣレイヤ以後の処理では、ＣＰＵでのみデータユニットの処理が可能である。すなわち、ＭＡＣレイヤ以後のレイヤにおける処理は、ソフトウェア処理である。
【０１１１】
ＰＨＹレイヤとＰＤＣＰレイヤのそれぞれで、ハードウェア処理を実行した場合、ハードウェア処理、ソフトウェア処理、ハードウェア処理の順に実行される。この場合に比べて、ＰＨＹレイヤとＭＡＣレイヤとでハードウェア処理をまとめて実行した場合、ＵＥ１００の処理負荷を低減できる。
【０１１２】
ＵＥ１００は、上りリンクにおいても、ＭＡＣレイヤにおいて、同様にサイファリング（暗号化）を実行してもよい。
【０１１３】
図９（右図）に示すように、ＰＤＣＰレイヤでは、サイファリング（ハードウェア処理）を省略する。
【０１１４】
ＭＡＣレイヤにおいて、上りリンクのデータユニットに対して、サイファリングを実行する。
【０１１５】
ＵＥ１００は、ＭＡＣレイヤにおいて生成したトランスポートブロック（ＭＡＣ  ＰＤＵ）に対して、サイファリングを実行してもよい（オンライン処理）。ＵＥ１００は、ｅＮＢ２００からＵＬグラント（ＤＣＩ）を受け取る前に、データユニット（ＭＡＣ  ＳＤＵ）に対して、サイファリングを実行してもよい（オフライン処理）。例えば、ＵＥ１００は、最低保証値が通知（設定）されている場合、データユニット（ＭＡＣ  ＳＤＵ）を分割せずに送信可能であるため、オフライン処理においてサイファリングを実行してもよい。
【０１１６】
その後、ＰＨＹレイヤにおいて、ハードウェア処理（符号化）が実行される。これにより、ＵＥ１００の処理負荷を低減できる。
【０１１７】
ｅＮＢ２００も、ＵＥ１００と同様にして、ＰＤＣＰレイヤにおけるサイファリング／デサイファリングを省略してもよい。ｅＮＢ２００は、ＭＡＣレイヤにおいてサイファリング／デサイファリングを実行してもよい。
【０１１８】
（Ｅ）動作例５
動作例５について図１０を用いて説明する。図１０は、動作例５を説明するための図である。
【０１１９】
図１０（左図）に示すように、ＵＥ１００は、動作例４と同様に、ＰＤＣＰレイヤの代わりに、ＭＡＣレイヤにおいて、下りリンクのデータユニットに対して、デサイファリングを実行してもよい。
【０１２０】
一方、ＵＥ１００は、ＰＤＣＰレイヤにおいて、上りリンクのデータユニットに対して、サイファリングを実行してもよい。オフライン処理としてサイファリングが実行されるため、ＵＬグラントを受信してから送信するまでの遅延を低減することができる。
【０１２１】
ｅＮＢ２００は、ＵＥ１００と同様にして、ＭＡＣレイヤにおいて、上りリンクのデータユニットに対して、デサイファリングを実行してもよい。一方、ｅＮＢ２００は、ＰＤＣＰレイヤにおいて、下りリンクのデータユニットに対して、サイファリングを実行してもよい。
【０１２２】
［その他の実施形態］
上述した実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１２３】
上述した実施形態に係る動作（動作例）は、適宜組み合わせて実行されてもよい。上述した各シーケンスにおいて、必ずしも全ての動作が必須の構成ではない。例えば、各シーケンスにおいて、一部の動作のみが実行されてもよい。
【０１２４】
例えば、ＢＳ２００は、ＵＥ１００のケイパビリティ（能力）に応じて、ＵＥ１００に動作例４（又は動作例５）の動作を実行させるか否かを判定してもよい。例えば、ＵＥ１００は、ＭＡＣレイヤにおけるサイファリング／デサイファリンクが可能か否かを示す能力情報をＢＳ２００へ送信できる。ＢＳ２００は、当該能力情報に基づいて、判定できる。
【０１２５】
ＢＳ２００は、ＵＥ１００がＭＡＣレイヤにおけるデサイファリングが可能である場合、動作例４（又は動作例５）の動作を指示するための情報をＵＥ１００へ送信してもよい。ＢＳ２００は、ＵＥ１００がＭＡＣレイヤにおけるデサイファリングが可能であり、かつＭＡＣレイヤにおけるサイファリング動作が不能である場合、動作例５の動作を指示するための情報をＵＥ１００へ送信してもよい。ＢＳ２００は、ＵＥ１００がＭＡＣレイヤにおけるサイファリング／デサイファリングが不能である場合、動作例４又は５の動作を指示するための情報の送信を省略してもよい。ＢＳ２００は、ＰＤＣＰレイヤにおけるサイファリング／デサイファリングを指示するための明示的な情報を送信してもよい。
【０１２６】
ＢＳ２００は、指示するための情報を個別シグナリング（例えば、ＲＲＣ再設定メッセージ、ＤＣＩ（Ｄｏｗｎｌｉｎｋ  Ｃｏｎｔｒｏｌ  Ｉｎｆｏｒｍａｔｉｏｎ）など）により、ＵＥ１００へ送信してもよい。ＢＳ２００は、指示するための情報をブロードキャストシグナリング（例えば、ＳＩＢ（Ｓｙｓｔｅｍ  Ｉｎｆｏｒｍａｔｉｏｎ  Ｂｌｏｃｋ））／グループキャストシグナリングにより、ＵＥ１００へ送信してもよい。ＵＥ１００は、指示するための情報に基づいて、サイファリング／デサイファリングをＭＡＣレイヤで実行するかＰＤＣＰレイヤで実行するかを決定できる。
【０１２７】
上述した実施形態では特に触れていないが、上述した各ノード（ＵＥ１００、ＢＳ２００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１２８】
或いは、ＵＥ１００及びＢＳ２００のいずれかが行う各処理を実行するためのプログラムを記憶するメモリ及びメモリに記憶されたプログラムを実行するプロセッサによって構成されるチップが提供されてもよい。
【０１２９】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１３０】
日本国特許出願第２０１６−２１６７６８号（２０１６年１１月４日出願）の全内容が、参照により、本願明細書に組み込まれている。
【図１】
0006799610.tif 000002
【図２】
0006799610.tif 000003
【図３】
0006799610.tif 000004
【図４】
0006799610.tif 000005
【図５】
0006799610.tif 000006
【図６】
0006799610.tif 000007
【図７】
0006799610.tif 000008
【図８】
0006799610.tif 000009
【図９】
0006799610.tif 000010
【図１０】
0006799610.tif 000011